(57)【要約】【課題】天候または交通状況に応じてテレビジョンの目覚ましタイマーを自動で再設定する。【解決手段】データ放送信号処理部１０５においてデータ放送を信号処理し、データ選別部１０６において天候や交通に関する特定の情報を選択的に取得し、データ処理部１０７において気象状態、交通状態、または気圧の時間変化等からタイマー変更量を算出し、この算出結果に従ってタイマー設定部１０８においてタイマー設定時刻に変更を加える構成とすることで、悪天候時あるいは交通渋滞時に通常より必要な時間だけ自動的にタイマーが早く作動し、余裕を持って起床する事ができ、利用者の著しい利便性の向上を図ることが可能となる。【選択図】  図１
2004274563.tif 000002
【特許請求の範囲】
【請求項１】
インターネット接続手段と、前記インターネットから取得したデータから特定データを選別する選別手段と、前記選別された特定データに基づいてタイマー設定時刻に変更を加える手段と、を備えたタイマー機能付き電子機器。
【請求項２】
データ放送受信手段と、前記データ放送から取得したデータから特定データを選別する選別手段と、前記選別された特定データに基づいてタイマー設定時刻に変更を加える手段と、を備えたタイマー機能付きテレビジョン。
【請求項３】
前記特定データとして少なくとも気象に関するデータを含む請求項１または請求項２記載のタイマー機能付き電子機器またはタイマー機能付きテレビジョン。
【請求項４】
前記特定データとして少なくとも道路交通に関するデータを含む請求項１または請求項２記載のタイマー機能付き電子機器またはタイマー機能付きテレビジョン。
【請求項５】
前記特定データとして少なくとも公共交通手段に関するデータを含む請求項１または請求項２記載のタイマー機能付き電子機器またはタイマー機能付きテレビジョン。
【請求項６】
選別されたデータをデータ量に応じて少なくとも２段階以上に区分けする手段を備えた請求項１または請求項２記載のタイマー機能付き電子機器またはタイマー機能付きテレビジョン。
【請求項７】
前記区分けのスレッショルドまたは区分け数を任意に指定または入力できる手段を備えた請求項６記載のタイマー機能付き電子機器またはタイマー機能付きテレビジョン。
【請求項８】
現在の日付に関連したタイマー変更量を持つ請求項１または請求項２記載のタイマー機能付き電子機器またはタイマー機能付きテレビジョン。
【請求項９】
タイマー変更量を任意に選択または入力できる手段を備えた請求項１または請求項２記載のタイマー機能付き電子機器またはタイマー機能付きテレビジョン。
【請求項１０】
前記区分けされたデータと、前記タイマー変更量とを関連付けてタイマー設定時刻に変更を加える手段と、を備えた請求項１または請求項２記載のタイマー機能付き電子機器またはタイマー機能付きテレビジョン。
【請求項１１】
選別対象となる特定データを任意に選択または入力できる手段を備えた請求項１または請求項２記載のタイマー機能付き電子機器またはタイマー機能付きテレビジョン。
【請求項１２】
任意の地名を選択または入力する手段と、前記地名に関連して特定データを選別する手段と、を備えた請求項１または請求項２記載のタイマー機能付き電子機器またはタイマー機能付きテレビジョン。
【請求項１３】
前記任意に選択または入力する地名を少なくとも２ヵ所以上とし、その内の一ヵ所は装置が設置された場所の地名とする請求項１２記載のタイマー機能付き電子機器またはタイマー機能付きテレビジョン。
【請求項１４】
タイマー変更量に制限を加える手段を備えた請求項１または請求項２記載のタイマー機能付き電子機器またはタイマー機能付きテレビジョン。
【請求項１５】
前記制限範囲を任意に指定または入力する手段を備えた請求項１４記載のタイマー機能付き電子機器またはタイマー機能付きテレビジョン。
【請求項１６】
現在の時刻と最初に設定されたタイマー時刻と変更後のタイマー変更時刻とを比較する手段と、比較の結果タイマー変更時刻にさらに変更を加える手段を備えた請求項１または請求項２記載のタイマー機能付き電子機器またはタイマー機能付きテレビジョン。
【請求項１７】
休日の設定日にはタイマー変更を行わないかまたは変更値に休日用重み付けを行う請求項１または請求項２記載のタイマー機能付き電子機器またはタイマー機能付きテレビジョン。
【請求項１８】
タイマー動作時にメッセージを表示する手段を備えた請求項１または請求項２記載のタイマー機能付き電子機器またはタイマー機能付きテレビジョン。
【請求項１９】
少なくともメッセージの内容として、前記特定データに関係するものと、タイマー設定時刻に関係するものと、を含む請求項１８記載のタイマー機能付き電子機器またはタイマー機能付きテレビジョン。
【請求項２０】
少なくともメッセージの内容として、雨具の携帯を促がす内容を含む請求項１８または請求項１９記載のタイマー機能付き電子機器またはタイマー機能付きテレビジョン。
【請求項２１】
ローカルネットワークで接続されたタイマーを設定変更対象とする請求項１または請求項２記載のタイマー機能付き電子機器またはタイマー機能付きテレビジョン。
【請求項２２】
電子データの受信手段と、前記受信データから特定データを選択する手段と、タイマー設定手段と、前記特定データに基づきタイマー設定時刻に変更を加える手段を備えたタイマー装置。
【請求項２３】
電子データを受信するステップと、前記受信データから特定データを選択するステップと、タイマー設定ステップと、前記特定データに基づきタイマー設定時刻に変更を加えるステップを備えたタイマー設定時刻変更方法。
【請求項２４】
前記データ選択ステップをデータ更新時から次回のデータ更新時までの間に少なくとも一回以上行う請求項２３記載のタイマー設定時刻変更方法。
【請求項２５】
更新前のデータと更新後のデータの差分を取り変化量を算出するステップを備えた請求項２４記載のタイマー設定時刻変更方法。
【請求項２６】
前記特定データをデータ値に応じて区分けするステップを備えた請求項２３記載のタイマー設定時刻変更方法。
【請求項２７】
前記特定データまたはタイマー設定時刻変更量または区分け数または区分けのスレッショルドを任意に選択又は入力するステップを備えた請求項２３から２６のいずれかに記載のタイマー設定時刻変更方法。
【請求項２８】
少なくともタイマー設定時刻変更内容に関連したメッセージを表示するステップを備えた請求項２３記載のタイマー設定時刻変更方法。
【請求項２９】
請求項２３から２８のいずれかに記載のタイマー設定時刻変更方法を実現する各ステップをコンピュータで実行するプログラム。
【請求項３０】
請求項２９のプログラムを記録したコンピュータ読み取り可能な記録媒体。
【発明の詳細な説明】
【０００１】
【発明の属する技術分野】
本発明は、インターネット接続装置を備えたタイマー機能付き電子機器またはデータ放送受信装置を備えたタイマー機能付きテレビジョンに関するものである。
【０００２】
【従来の技術】
自然状況に応じた告知方法を自動的に実行する告知装置として、例えば、特許文献１に記載の告知装置が従来技術として知られている。特許文献１に記載の告知装置は周囲の自然情報を取得する自然情報取得部と、自然情報取得部で取得した自然情報に基づいて自然状況を決定する自然状況決定部と、予定自然状況，予定告知時間，及び告知方法を有する一種類以上のレコードを設定可能な告知設定部と、自然状況決定部からの自然状況と告知設定部におけるレコード内の予定自然状況とを比較し、これらが一致したときに、レコード内の予定告知時間に告知方法を出力する管理部と、管理部からの告知方法を実行する告知部とを具備する構成となっており、特に、自動情報取得部として、湿度、気温、気圧等の気象情報を検知するセンサを用い、告知方法として、アラーム音等の各種の音を指定することができるようにすれば、雨等の場合には、早い時間にアラーム音等を鳴らし、晴れの場合には遅い時間にアラーム音を鳴らすようにすることができる等、天気に合わせて起床時刻等を自由に設定することができるようになる。
【０００３】
例えば、月曜日から金曜日の各日において、晴であるならば６時３０分にアラーム音を鳴らすが、雨であるならば、６時にアラーム音を鳴らして早起きをすると共に、７時からら１８時の間で雨が降ったときには直ちにサイレン音を鳴らし、また、土曜日と日曜日においては、晴のときには８時にオルゴール音を鳴らし、雨であるときには１０時に人声音を発生させ、１０時以降は雨が降ったときに直ちにサイレンを鳴らすという動作を行わせることができる。
【０００４】
【特許文献１】
特開平１１−４４７８７号公報
【０００５】
【発明が解決しようとする課題】
しかしながら特許文献１に示される従来の告知装置の構成は、天気状況を知るためにセンサを必要とする構成となっており、センサの設置等面倒な作業を行わなければならず、さらに判断材料として知りうる情報は、センサが設置された場所の、今現在の天気状況のみである。ＦＭ文字多重放送の情報利用についても一部触れられてはいるが、現実的にはＦＭ文字多重放送で送られる情報には限りがあるためそれだけでは使用に耐えられず、天気状況決定精度向上のための一手段という位置づけになっている。
【０００６】
またタイマーの設定情報として平日、休日の差は開示されているが、現実的には雨の降る量、天気の回復方向、実際の道路の混み具合等がタイマーの設定情報として重要な要素であるにもかかわらず、その事については何ら触れられていない。
【０００７】
【課題を解決するための手段】
前記従来の課題を解決するため、本発明のタイマー機能付き電子機器またはタイマー機能付きテレビジョンは、インターネットまたはデータ放送等の電子データを受信し、受信データから特定の情報を一定時間毎に取得し、取得した特定情報に基づき、タイマー設定時刻の適切なデータ変更を行う事が可能となる。
【０００８】
さらに、例えば天気情報と交通情報の複数情報を取得する、または気圧データの時間変化で気象の変化方向を判断するなど、複数種のデータを判断材料とすることでより適切なデータ変更を行う事が可能となる。また、五十日（ごとびまたはごとおび）等の特に道路混雑が予想される日を指定する事で、さらに適切なデータ変更を行う事が可能となる。
【０００９】
【発明の実施の形態】
以下に、本発明の実施の形態について、図面を参照しながら説明する。
【００１０】
（実施の形態１）
図１は本発明の実施の形態１におけるデータ放送受信装置を内蔵したタイマー機能付きテレビジョンの図である。
【００１１】
図１において１０１はデジタル放送受信アンテナであり、１０２はテレビアンテナであり、１０３はデジタル放送受信アンテナ１０１またはテレビアンテナ１０２で受信した信号を復調するチューナであり、１０４はチューナ１０３からの信号を映像信号とデータ信号とに分離する信号分離部であり、１０５は信号分離部１０４からのデータ信号をデータ信号として復号処理するデータ放送信号処理部であり、１０６は必要データを選別するデータ選別部であり、１０７はデータ選別部１０６からの信号を処理するデータ処理部であり、１０８はリモコン１１６の操作信号を受けタイマーデータを設定するタイマー設定部であり、１０９はタイマー設定部１０８の設定データを受けタイマー動作を行うタイマー部であり、１１０はテレビジョン１２０に内蔵されかつデータ放送信号処理部１０５、データ選別部１０６、データ処理部１０７、タイマー設定部１０８、タイマー部１０９を備えたマイコンであり、１１１はデータ放送信号処理部１０５またはデータ選別部１０６からのデータまたは任意に設定されたタイマーデータ変更値テーブルを蓄積するデータ蓄積部であり、１１２は信号分離部１０４からの映像信号を復号処理しかつマイコン１１０からの表示信号を映像信号に合成処理する映像信号処理部であり、１１３はテレビジョン１２０を動作させるための全ての電源を供給するメイン電源であり、１１４は常時動作を要求されるところに電源を供給するサブ電源であり、１１５は映像表示を行う表示部であり、１１６は映像信号処理部１１２への映像信号をチューナ１０３からの映像信号か外部入力からの映像信号か切り換えるＡＶスイッチであり、１３０はリモコンであり、１２０はデジタル処理を行うタイマー機能付きテレビジョンである。
【００１２】
図１を用いて実施の形態１を説明する。実施の形態１はタイマー機能付きテレビジョンで受信したデータ放送のうち天気と交通に関するデータを用いて、目覚ましタイマーの設定時間に変更を加える構成としており、雨天時または交通渋滞時に目覚ましタイマーが設定時間より早い時間に自動変更される動作を行うものである。
【００１３】
まずチューナ１０３はデジタル放送受信アンテナ１０１またはテレビアンテナ１０２で受信した信号を復調し、信号分離部１０４に復調信号を出力する。この時受信信号は衛星デジタル放送でも、地上デジタル放送でもどちらでもかまわない。またこの図には示していないがケーブル放送でも良い。特に地上デジタル放送ではより地域に密着した密度の高い情報がデータ放送として送信されるので、本発明の目的を達成する場合に非常に有効である。いずれにしても映像信号と併せてデータ放送が行われている放送信号であれば何でも良い。またチューナ１０３の出力信号はアナログ信号、デジタル信号のどちらでもかまわない。
【００１４】
次に、信号分離部１０４は前記チューナ１０３からの出力信号を受け、映像信号とデータ信号に分離しそれぞれの出力先に出力する。通常この出力信号は単なるデータストリームであり、意味のあるデータとして復調する必要がある。
【００１５】
次にデータ放送信号処理部１０５は、信号分離部１０４からのデータ信号を意味のあるデータとして処理できるように復調する。復調されたデータ信号はデータ蓄積部１１１に蓄積され、必要に応じて読み出される。またデータ放送の受信はサブ電源１１４を用いて常時行う構成とし、受信データが更新される毎にデータを蓄積する構成とする事が望ましい。またデータ蓄積のタイミングは、データが更新された後、次のデータに更新される間であればいつでもかまわない。また定期的に受信データと蓄積データを比較し、データ更新時を示す時間データ（例えば「○○時の雨量××ｍｍ」の○○時を示す）或いはその他のデータが変化した時点をデータ更新時としてデータ蓄積を行う構成とする方が望ましいが、データが更新されたことが判断できる構成であればどんな構成でも良い。
【００１６】
次にデータ選別部１０６がデータ放送信号処理部１０５からの出力またはデータ蓄積部１１１に蓄積された信号からタイマー処理に必要な雨量、気圧、交通渋滞情報、事故情報等のデータを取り出す。ここで、データ放送信号処理部１０５からの出力データをすべて蓄積部１１１に蓄積し、データ選別部１０６において気象又は交通等の必要データを取り出す構成としても、あるいはデータ選別部１０６で選別された気象又は交通等の必要データだけをデータ蓄積部１１１に蓄積する構成としても、どちらでもかまわない。ここで説明した構成はデータ放送から必要データを取得する一例を示したに過ぎず、放送局あるいは中継局から送信される膨大なデータのうち処理に必要なデータが選択的に取得できる構成であればどんなものでもかまわない。
【００１７】
次にデータ処理部１０７において、データ選別部１０６から出力される気象或いは交通に関するデータを受け、タイマー設定部への変更データを計算する。具体的には、タイマーデータ変更演算用のパラメータとして気圧、雨量、交通量を設定した場合、まず気圧の時間変化を計算し、気圧が下がっていれば天候悪化、気圧が変わらなければ天候維持、気圧が上がっていれば天候回復と判断し、それぞれの判断結果に従ってタイマーデータ変更値をタイマーデータ変更値テーブルから読み出す。次に最新の雨量データを見て雨量データに従ったタイマーデータ変更値を前記タイマーデータ変更値テーブルから読み出す。次に最新の交通量データに相当するタイマーデータ変更値を前記タイマーデータ変更値テーブルから読み出す。このタイマーデータ変更値テーブルは、事前に設定された固定値としも良いが、望ましくは使用者が任意に設定できる構成とする方が良い。図１では使用者が任意に設定したデータをデータ蓄積部１１１の所定の場所に記憶する構成として書いているが、別のデータ蓄積部を設ける構成でも、あるいはマイコン内部の記憶部に記憶する構成でもかまわない。図１の構成では、データ処理部１０７はデータ蓄積部１１１の所定の場所に記憶されたタイマーデータ変更値テーブルから雨量、気圧変化、交通量といったパラメータに従ってタイマーデータ変更値を読み出す。
【００１８】
図３にこれらの設定を行った場合の画面表示を示す。図３では雨量設定として雨量「０ｍｍ／ｈ」を「晴天・曇り」としてタイマー変更値を「０分」、雨量「５ｍｍ／ｈ以下」を「弱い雨」としてタイマー変更値を「１０分」、雨量「５ｍｍ／ｈから１０ｍｍ／ｈ」を「雨」としてタイマー変更値を「２０分」、雨量「１０ｍｍ／ｈ以上」を「強い雨」としてタイマー変更値を「３０分」と設定し、気圧変化の設定として「＋１０ｈＰａ以上」を「良化」としてタイマー変更値を「−１０分」、「＋５ｈＰａから＋１０ｈＰａ」を「やや良化」としてタイマー変更値を「−５分」、「＋５ｈＰａから−５ｈＰａ」を「維持」としてタイマー変更値を「０分」、「−５ｈＰａから−１０ｈＰａ」を「やや悪化」としてタイマー変更値を「５分」、「−１０ｈＰａ以下」を「悪化」としてタイマー変更値を「１０分」、交通量として、「通常」のタイマー変更値を「０分」、「やや渋滞」のタイマー変更値を「１０分」、「渋滞」のタイマー変更値を「２０分」、「ひどい渋滞／事故」のタイマー変更値を「３０分」と設定している。
【００１９】
次に読み出したタイマーデータ変更値を加算して最終的なタイマーデータ変更値を算出するが、この計算結果がタイマーデータ変更範囲内にあるかどうかを判断し、範囲外であれば範囲内の最も近い値に置換える。具体的にはタイマーデータ変更範囲が「０分から６０分」である場合、前記算出結果が７０分であればそれを６０分に置換える。またタイマーデータ変更値テーブル内にマイナスのデータが存在する場合は加算結果がマイナスになる事もありうる。このとき前記算出結果が−１０分であればそれを０分に置換える。もちろんタイマーデータ変更範囲が−１０分から６０分である場合は前記算出結果の−１０分がそのまま適用される。また図３の例のように天候に関するタイマーデータ変更値にマイナスデータが設定され、交通に関するタイマーデータにマイナスデータが無い場合、まず天候や交通のそれぞれの項目でタイマーデータ変更値の合計を出し、その結果がマイナスであれば、「０分」とする構成にした方が望ましい。例えば雨量が「晴天・曇り」で気圧が「良化」の場合、天候に関するタイマー変更値は「−１０分」になるが、一方で交通が「やや渋滞」で「１０分」であれば、合計して「０分」とするよりも天候に関する「−１０分」を「０分」にして、合計を「１０分」とした方が現実に即した結果となる。
【００２０】
ここでタイマーデータ変更範囲は事前に設定された固定値としても良いが、望ましくは使用者が任意に設定できる構成とする方が良い。また図１では使用者が任意に設定したタイマーデータ変更範囲をデータ蓄積部１１１の所定の場所に記憶する構成として書いているが、別のデータ蓄積部を設ける構成でも、あるいはマイコン内部の記憶部に記憶する構成でもかまわない。
【００２１】
また図３に示すように交通に関するパラメータとしては日付、公共交通機関を加えた方が望ましい。一般的に五十日（ごとびまたはごとおびとよばれる）は商習慣に起因する道路混雑が予想される日であり、また五十日と週末が重なる日や年末、期末と重なる日はさらに混雑の度合いが増す。これらの特定日を演算情報として加味することでより現実に即したタイマーデータ変更演算を行う事が出来る。また鉄道やバスなどの公共交通機関を利用している人はその利用内容に応じてタイマー変更値を設定する事でさらに利便性が向上する。また図３では「公共交通機関の乱れ」と書いているが、その利用内容に応じて「○○鉄道△△線」や「××市バス□□線」のようにさらに細分化した設定が出来るような構成とした方が望ましい。
【００２２】
またそれぞれの設定項目においてタイマー変更値の設定のみならず雨量や気圧変化量も使用者が任意に設定できる構成とした方が望ましい。また入力方法としてはリモコンもしくはテレビ本体の操作パネルから直接入力する構成としても、あるいは事前に用意した入力一覧から選択する構成としても良い。また設定項目についても設定或いは選択できる構成とする方が望ましい。また交通に関しても「国道○○線」或いは「県道○○線××地域」というように細かい設定が出来る構成とした方が望ましい。また図３に示すように、居住地を入力する事で自動的にその地域に関するデータを収集する構成とした方がより望ましい。
【００２３】
次にタイマー設定部１０８はリモコン１３０の操作内容を受けて、タイマー時刻とその他動作情報を設定し、データ処理部１０７のタイマーデータ変更値計算結果を受けて、前記タイマー設定時刻に変更を加える。例えばリモコンによるタイマー設定時刻が「７：３０」、データ処理部１０７のタイマーデータ変更値計算結果が「２０分」であれば、タイマー設定時刻は２０分早い「７：１０」に変更される。タイマー部１０９はタイマー設定部１０８のタイマー設定時刻と現在時刻からタイマー動作を行ない、現在時刻がタイマー設定時刻になった時点或いは現在時刻がタイマー設定時刻の一定時間前になった時点でメイン電源１１３に電源オンの命令を出す。
【００２４】
メイン電源１１３は前記電源オンの命令を受け、デジタルテレビジョン１２０全体に電源を供給する。サブ電源１１４は常時動作が必要なマイコン１１０、チューナ１０３、信号分離部１０４、データ蓄積部１１１等のための電源であり、タイマー等に関係なく常時これらの回路に電源供給を行っている。こうする事でメイン電源がついているかどうかに関係なく、常にデータ放送から必要データを取得する事が出来るようになる。
【００２５】
ＡＶスイッチ１１６は信号分離部１０４からの映像信号と外部入力からの映像信号とを切り換えて出力し、映像信号処理部１１２はＡＶスイッチ１１６からの映像信号またはストリーム信号を表示部１１５での表示が可能な映像信号として復号し、表示部１１５に出力する。同時にマイコン１１０からのオンスクリーンデータ信号（以下ＯＳＤとする）を合成信号として前記映像信号に合成する。このＯＳＤはデータ放送信号処理部１０５で処理されたデータ放送と、タイマー設定部１０８からの目覚ましタイマー動作時のメッセージを含む。目覚ましタイマー動作時のメッセージの例として図５、図６を示す。
【００２６】
図５は「タイマー設定７：３０」で天気、交通共に問題なく、目覚ましタイマーが設定通りに動作してテレビがオンした場合の通常表示メッセージの例である。図６は「タイマー設定７：３０」で天気が「強い雨」、交通が「渋滞」、さらに「五十日、週末、期末」が重なり、目覚ましタイマーが「６０分」早目に動作して「６：３０」にテレビがオンした場合の表示メッセージの例である。さらに具体的には「強い雨」で「３０分」、「渋滞」で「２０分」、「五十日」で「１０分」、「週末」で「５分」、「期末」で「５分」の計「７０分」であるが、タイマーデータ変更範囲「０分から６０分」を超えているため「６０分」になり、「タイマー設定７：３０」から「６０分」早くなった「６：３０」に目覚ましタイマーが動作したとして図６を書いている。図６に示すように「強い雨」、「渋滞」、「五十日、週末、期末」といったキーワードと共に、「７：３０」が「６：３０」に変更されたことを伝える表示内容としている。またデータ放送の交通に関する情報が毎時ちょうどに更新されるとして、最新の交通情報と共にその更新時間も表示している。
【００２７】
これら図５、図６に示すように通常表示メッセージとして日付、天気、交通に関する判断結果と、タイマー設定時刻等必要かつ最小限の表示を適当な位置に適当な大きさで表示することが望ましい。字数が多すぎると読みにくくなり、また小さすぎても大きすぎても読みにくいからである。またメッセージには半透明もしくは不透明の背景色を置いた方がより読みやすくなる。しかし表示メッセージはこれら説明した内容に限定するものではなく、全く表示しない、または画面全体を覆うように表示する、または「おはようございます」といった挨拶文を加える、等どのような構成でもかまわない。
【００２８】
表示部１１５は映像信号処理部１１２から出力される映像信号またはＯＳＤ、メッセージが合成された映像信号を映像として表示する。またタイマー動作時のメッセージ表示は目覚ましタイマー動作時から一定時間或いはメッセージ表示オフの入力まで或いはメイン電源オフまで表示する構成とし、それ以外は表示しない構成とする事が望ましいが、表示要求が有ったときに表示する構成でも良い。
【００２９】
以上本実施の形態１によると、データ放送から天候、交通に関する情報を選択的に取得し、その結果により目覚ましタイマー設定時刻または目覚ましタイマー動作時の表示メッセージを変更する構成とする事で、悪天候時あるいは交通渋滞時に通常より必要な時間だけ自動的にタイマーが早く作動し、余裕を持って起床する事ができ、使用者の利便性の向上を図ることが可能となる。
【００３０】
（実施の形態２）
図２は本発明の実施の形態２におけるインターネット接続部を内蔵したタイマー機能付きテレビジョンの図である。
【００３１】
図２において２０１はインターネット接続部であり、２０２はインターネットである。また図２において、図１と同じ構成については同じ符号を用い、説明を省略する。以上図２を用いて実施の形態２を説明する。
【００３２】
実施の形態２において実施の形態１と異なる点は、インターネット接続部を設けた構成としたところにある。デジタル放送によるデータ放送が受信できない場合、あるいはデータ放送では十分な精度のデータが得られない場合、インターネットの情報を利用する事で情報の精度向上またはデータ放送の代替えが可能となる。またデジタルテレビに限らず、インターネットに接続されたコンピュータでも同様の動作を行わせる事が出来る。またタイマー設定時刻の変更はローカルネットワークでつながれたネットワーク機器のタイマーでも良い。
【００３３】
（実施の形態３）
図４は本発明の実施の形態３における各設定値の画面表示の図である。実施の形態３が実施の形態１または実施の形態２と異なる点は、設定データとして居住地だけでなく、勤務先の住所を登録する構成としたところにある。
【００３４】
例えば居住地が「滋賀県大津市」であり、勤務地が「大阪府大阪市」である場合、居住地における「滋賀県大津市」一帯の天気、交通に何ら問題が無くとも、勤務先である「大阪府大阪市」において悪天候であったり、あるいは交通渋滞や公共交通機関の乱れが生じている場合が有り得る。当然こういった場合は早目に家を出なければならないが、居住地付近だけの情報では対応できない。
【００３５】
図４に示すように居住地に加えて勤務先一帯の情報を取得する構成とする事で、前記した事態に対応することが可能となる。図７は実施の形態３における表示メッセージの例である。図７では気圧の変化で「１０分」、勤務先の「弱い雨」で「１０分」の計「２０分」タイマー設定時刻が早くなり「タイマー設定７：３０」から「２０分」早くなった「７：１０」に目覚ましタイマーが動作した場合のメッセージを表示している。図７に示すように、居住地で雨が降っていなくとも勤務先で弱い雨が降っていればそのことがタイマー設定時刻の変更に自動的に反映され、勤務先での天候不良による時間ロスを考慮した分の早起きが可能となる。
【００３６】
当然の事ながら、これは勤務先に限らず、通学先または出張先などの出先のことを示しており、また二ヵ所に限らず三ヵ所以上の設定が出来る構成としても良い。また、居住地と勤務先を設定する事で、利用道路もしくは利用公共交通機関を自動で設定する構成とすれば、使用者の各設定の手間が省けより使い勝手の良い構成とすることができる。
【００３７】
以上実施の形態３によれば、居住地と併せて勤務地を設定する構成とする事で使用者の更なる利便性の向上を図る事が可能となる。
【００３８】
（実施の形態４）
図８、図９は本発明の実施の形態４におけるフローチャートの図である。図８において８０１はデータ更新の判断ステップであり、８０２はＷＡＩＴステップであり、８０３はデータ取得ステップであり、８０４はデータ蓄積ステップであり、８０５はデータ選別ステップであり、８０６はデータ処理ステップであり、８０７はタイマー設定ステップであり、８０８はタイマー登録ステップであり、８０９はタイマーデータ変更ステップであり、８１０はメッセージデータ変更ステップであり、８１１はメッセージ表示ステップであり、８１２はタイマー動作ステップである。
【００３９】
また図９はデータ処理ステップ８０６の詳しいフローチャートの図である。図９において９０１は気圧の時間変動検出ステップであり、９０２は雨量の検出ステップであり、９０３は天気状況判断ステップであり、９０４は交通量判別ステップであり、９０５は事故情報判別ステップであり、９０６は日時判別ステップであり、９０７は交通状況判断ステップであり、９０８はタイマーデータ変更量演算ステップであり、９０９はタイマーデータ変更範囲比較ステップであり、９１０は現在時刻とタイマー設定時刻−タイマーデータ変更量の比較ステップであり、９１１は表示内容変更ステップである。
【００４０】
以上図８と図９を用いて実施の形態４について説明する。まずデータ更新判断ステップ８０１において取得対象データが更新されたかどうかの判断を行う。具体的には受信データと蓄積データを比較し、データ更新時を示す時間データ（例えば「○○時の雨量××ｍｍ」の○○時を示す）或いはその他のデータが変化していればデータ更新されたと判断し次のステップ８０３に進む。ここでは比較ではなくともデータが更新されたことが判断できる構成であればどんな構成でも良い。またデータが更新されていなければＷＡＩＴステップ８０２に進み、任意に設定された一定時間後にデータ更新判断ステップ８０１に戻る。
【００４１】
次にデータ取得ステップ８０３において、取得対象データが取得され、データ蓄積ステップ８０４において、蓄積される。このとき取得対象データは、前記したように雨量や気圧あるいは交通に関する情報であるが、使用者が任意に設定できる構成とする方が望ましい。次にデータ蓄積ステップ８０４において蓄積されたデータから必要データがデータ選別ステップ８０５において選択され、データ処理ステップ８０６において処理される。
【００４２】
データ処理ステップ８０６の詳細について図９のフローチャートを用いて説明する。まずデータ選別ステップ８０５において選別された気圧に関するデータが気圧の時間変動ステップ９０１において計算される。計算の例としては、更新前の気圧データから更新後の気圧データを引き算しその結果が、気圧変化の設定データとして登録されたデータ、例えば「＋１０ｈＰａ以上」を「良化」としてタイマー変更値を「−１０分」、「＋５ｈＰａから＋１０ｈＰａ」を「やや良化」としてタイマー変更値を「−５分」、「＋５ｈＰａから−５ｈＰａ」を「維持」としてタイマー変更値を「０分」、「−５ｈＰａから−１０ｈＰａ」を「やや悪化」としてタイマー変更値を「５分」、「−１０ｈＰａ以下」を「悪化」としてタイマー変更値を「１０分」というように設定、登録されたデータのどれに該当するかを判断し、該当するタイマー変更値を選び出す。
【００４３】
次にデータ選別ステップ８０５において選別された雨量に関するデータが雨量判断ステップ９０２において計算される。計算の例としては例えば雨量「０ｍｍ／ｈ」を「晴天・曇り」としてタイマー変更値を「０分」、雨量「５ｍｍ／ｈ以下」を「弱い雨」としてタイマー変更値を「１０分」、雨量「５ｍｍ／ｈから１０ｍｍ／ｈ」を「雨」としてタイマー変更値を「２０分」、雨量「１０ｍｍ／ｈ以上」を「強い雨」としてタイマー変更値を「３０分」というように設定、登録されたデータのどれに該当するかを判断し、該当するタイマー変更値を選び出す。
【００４４】
次に天気状況判断ステップ９０３においてステップ９０１、ステップ９０２で選ばれたタイマー変更値を加算する。ここでもしマイナスの計算結果であれば「０分」と置換えてステップ９０８に進む。また表示内容として、現在の天気状況を表す表示内容を事前に設定した表示内容一覧から選択し、また現在雨が降っていなくても、気圧の変化が「悪化」であり前記した以外の天気データが午後からの雨等の情報を持っている場合は、「雨具の携帯」を促がすような表示内容を選択しステップ９１１に進む。
【００４５】
次にデータ選別ステップ８０５において選別された登録地域または登録道路の交通に関するデータが交通量判別ステップ９０４において計算される。計算の例としては例えば「通常」のタイマー変更値を「０分」、「やや渋滞」のタイマー変更値を「１０分」、「渋滞」のタイマー変更値を「２０分」、「ひどい渋滞」のタイマー変更値を「３０分」というように設定、登録されたデータのどれに該当するかを判断し、該当するタイマー変更値を選び出す。
【００４６】
次にデータ選別ステップ８０５において選別された登録地域または登録道路の事故に関するデータが事故情報判別ステップ９０５において計算される。計算の例としては例えば「幹線道路の事故」のタイマー変更値を「３０分」、「周辺道路の事故」のタイマー変更値を「２０分」、「事故無し」のタイマー変更値を「０分」というように設定、登録されたデータのどれに該当するかを判断し、該当するタイマー変更値を選び出す。また交通に関する計算ステップとしては「公共交通機関」の設定項目を設け、各種鉄道やバスに関する判別ステップを設ける構成とする方が望ましい。
【００４７】
次に日時判別ステップ９０６において日付に関する計算を行う。例えば「五十日」のタイマー変更値を「１０分」、「期末」のタイマー変更値を「５分」というように設定、登録されたデータのどれに該当するかを判断し、該当するタイマー変更値を選び出す。
【００４８】
次に交通状況判断ステップ９０７においてステップ９０４、ステップ９０５、ステップ９０６で選ばれたタイマー変更値を加算する。ここでもしマイナスの計算結果であれば「０分」と置換えてステップ９０８に進む。また表示内容として、現在の交通状況を表す表示内容を事前に設定した表示内容一覧から選択しステップ９１１に進む。言うまでもなくこれらステップ９０１、ステップ９０２、ステップ９０４、ステップ９０５、ステップ９０６は設定の一例に過ぎず、この内容に限定するものではない。例えば日付を見ない構成とする、または鉄道情報を見る構成とする、等使用者が自由に設定できる構成とする方が望ましい。
【００４９】
次にタイマーデータ変更量演算ステップ９０８においてステップ９０３とステップ９０７でそれぞれ計算されたタイマー変更値を計算し、最終的なタイマー変更値を計算し、タイマーデータ変更範囲比較ステップ９０９において事前に設定、登録されたタイマーデータ変更範囲と比較し、前記計算結果がタイマーデータ変更範囲内にあるかどうかを判断し、範囲外であれば範囲内の最も近い値に置換える。例えばタイマーデータ変更範囲が「０分から６０分」として設定、登録されている場合、計算結果が「７０分」であれば「６０分」に置換えられる。
【００５０】
次にステップ９１０において現在時刻とタイマー設定時刻−タイマーデータ変更の比較を行う。これは変更後のタイマー設定時刻が現在時刻より遅くなる、具体例としてはもとのタイマー設定時刻が「７：３０」、現在時刻が「７：００」であるのに変更後のタイマー設定時刻が「６：３０」となるような矛盾が生じないように処理する。このような例の場合はタイマー設定時刻を「７：００」として直ちにタイマー動作をオンする。
【００５１】
また一度タイマー設定時刻を変更しても、その後天候回復または渋滞解消等でタイマー変更値に変更が出た場合は、タイマー設定時刻を再変更する構成としても良い。例えばタイマー設定時刻が「７：３０」で、５：００の時点でタイマー変更値の計算結果が「６０分」となり、タイマー設定時刻が「６：３０」に変更されても、６：００の時点で天候回復、渋滞回復でタイマー変更値の計算結果が「２０分」となれば、タイマー設定時刻を「７：１０」に再変更する。こうすることで不必要な早起きを強いられることが無くなる。しかし逆に例えばタイマー設定時刻が「７：３０」で、５：００の時点でタイマー変更値の計算結果が「２０分」となり、タイマー設定時刻が「７：１０」に変更されても、６：００の時点で天候悪化、渋滞発生でタイマー変更値の計算結果が「６０分」となれば、タイマー設定時刻を「６：３０」に再変更するほうが良い。
【００５２】
また当然ながら、タイマー設定時点で平日と休日を分けて入力する構成としても良く、休日であれば前記タイマー設定時刻変更に関する全てのステップを省略する構成としても良い。
【００５３】
次に表示内容変更ステップ９１１において、ステップ９０３、ステップ９０７で選択された表示内容変更として選択されたメッセージを合成し、ステップ８１０に進む。仮に表示内容に変更が無ければ、通常のメッセージを渡す。或いは何も表示メッセージとして表示しないという構成でもかまわない。
【００５４】
次にタイマーデータ変更ステップ８０９においてタイマー設定ステップ８０７で設定され、タイマー登録ステップ８０８で登録されたタイマー設定時刻からデータ処理ステップ８０６で計算された変更値が減算または加算され、変更後のタイマー設定時刻として設定されタイマー動作ステップ８１２に進む。ステップ８１２では変更後のタイマー設定時刻に従い、タイマー動作を行う。
【００５５】
同時にメッセージデータ変更ステップ８１０においてデータ処理ステップ８０６で変更された表示メッセージを最終的な表示メッセージとして構成し、メッセージ表示ステップ８１１で表示する。
【００５６】
またこれら実施の形態１から４で説明した内容はテレビジョン上で実現できるものであれば内蔵マイコンでの動作に限らず、専用ＬＳＩ、ディスクリート回路、システムＬＳＩによる動作、またはローカルネットワークで接続されたコンピュータからの命令による動作でも良い。またテレビ受信装置付きのコンピュータまたはブロードバンド接続された動画再生可能なコンピュータ上で動作するようにしても良い。
【００５７】
【発明の効果】
以上のように、本発明のタイマー機能付き電子機器またはタイマー機能付きテレビジョンは、インターネットまたはデータ放送等の電子データを受信し、受信データから例えば天候情報や交通情報といった特定の情報を選択的に取得し、取得したデータに基づいて目覚ましタイマー設定時刻または目覚ましタイマー動作時の表示メッセージに適切なデータ変更を行う構成とする事で、悪天候時または交通渋滞時といったような通常より余計に通勤時間が掛かることが予想されるような日に、自動的に必要な時間だけ設定時刻より早くタイマーが作動し、余裕を持って起床する事ができ、使用者の利便性の向上を図ることが可能となる。
【００５８】
また、例えば五十日等の特に道路混雑が予想される日を指定する事で、さらに適切なデータ変更を行う事が可能となる。
【００５９】
また、例えば居住地と併せて勤務地を設定する構成とする事で、勤務先での天候不良や交通渋滞による時間ロスを考慮した分の適切なタイマー変更を行う事ができ、使用者の更なる利便性の向上を図る事が可能となる。
【図面の簡単な説明】
【図１】本発明の実施の形態１におけるデータ放送受信装置を内蔵したタイマー機能付きテレビジョンの図
【図２】本発明の実施の形態２におけるインターネット接続部を内蔵したタイマー機能付きテレビジョンの図
【図３】本発明の実施の形態１における各種設定を行った場合の画面表示の図
【図４】本発明の実施の形態３における各種設定を行った場合の画面表示の図
【図５】本発明の実施の形態１における通常表示メッセージの図
【図６】本発明の実施の形態１におけるタイマー変更表示メッセージの図
【図７】本発明の実施の形態３におけるタイマー変更表示メッセージの図
【図８】本発明の実施の形態４におけるフローチャート
【図９】本発明の実施の形態４におけるステップ８０６のフローチャート
【図１０】従来の告知装置を示す図
【符号の説明】
１０１  デジタル放送受信アンテナ
１０２  テレビアンテナ
１０３  チューナ
１０４  信号分離部
１０５  データ放送信号処理部
１０６  データ選別部
１０７  データ処理部
１０８  タイマー設定部
１０９  タイマー部
１１０  マイコン
１１１  データ蓄積部
１１２  映像信号処理部
１１３  メイン電源
１１４  サブ電源
１１５  表示部
１１６  ＡＶスイッチ
１２０  テレビジョン
１３０  リモコン
２０１  インターネット接続部
２０２  インターネット
【図１】
2004274563.tif 000003
【図２】
2004274563.tif 000004
【図３】
2004274563.tif 000005
【図４】
2004274563.tif 000006
【図５】
2004274563.tif 000007
【図６】
2004274563.tif 000008
【図７】
2004274563.tif 000009
【図８】
2004274563.tif 000010
【図９】
2004274563.tif 000011
【図１０】
2004274563.tif 000012